(57)【要約】【課題】非使用時に腰ベルト等に保持する際の使い勝手を向上した電動工具を提供する。【解決手段】本発明の電動工具は、軸方向Ｆの一端から回転駆動を出力する胴体部２と、上記軸に交差する向きで胴体部２から延設された把持部３と、を備えると共に、上記胴体部２の軸方向Ｆの他端に上記胴体部２を吊り下げる吊具１４を有している。そして、吊具１４を支点に胴体部２を吊り下げると、重量バランスにより上記把持部３の延設方向Ｈが鉛直方向Ｇに対して横向きまたは上記胴体部２と上記把持部３の接続部位を上にして斜め横向きに位置するものである。これにより、把持部３を把持した手の手首を略捻らすに電動工具を着脱できて、腰ベルト３１等に保持した際の使い勝手を向上することができる。【選択図】図１
2011067909.tif 000002
【特許請求の範囲】
【請求項１】
一端から回転駆動を出力する胴体部と、上記胴体部に交差して延設された把持部と、を備えると共に、上記胴体部の他端に上記胴体部を吊り下げる吊具を有しており、上記吊具を支点に上記胴体部を吊り下げると、重量バランスにより上記把持部の延設方向が鉛直方向に対して横向きまたは上記把持部の上記胴体部との接続部位を上にして斜め横向きに位置するものであることを特徴とする電動工具。
【請求項２】
前記吊具が前記把持部の延設方向及び前記胴体部の吊下げ時の鉛直方向の両方に直交した開口を有するものであることを特徴とする請求項１に記載の電動工具。
【請求項３】
前記吊具が剛体で形成されたものであることを特徴とする請求項１または請求項２に記載の電動工具。
【請求項４】
前記胴体部が前記吊具を収容する収容部を備えており、上記吊具が、上記収容部に収容される収容位置と、上記胴体部を吊り下げる吊下げ位置と、に位置を変更するものであることを特徴とする請求項１〜３のいずれか一項に記載の電動工具。
【請求項５】
前記吊具が剛体で形成されると共に、収容部に収容される収容位置と、前記胴体部を吊り下げる吊下げ位置と、に位置を変更するものであり、上記胴体部が上記収容部と、上記吊下げ位置で上記吊具の切換動作を規制する動作規制部と、を備えたものであることを特徴とする請求項請求項１または請求項２に記載の電動工具。
【請求項６】
前記収容部が前記吊具の一部を前記胴体部から突出させた状態で収容するものであり、上記吊具の突出した部位が上記収容部から上記吊具を取り出すための指掛け部であることを特徴とする請求項４または請求項５に記載の電動工具。
【請求項７】
前記胴体部が内外を貫く貫通孔を二つ有しており、前記吊具が連続したループ形状で且つ該ループの一部が上記二つの貫通孔を介して胴体部を貫通したものであることを特徴とする請求項１〜６のいずれか一項に記載の電動工具。
【請求項８】
前記胴体部が内外を貫く貫通孔を二つ有しており、前記吊具が連続したループ形状で且つ該ループの一部が上記二つの貫通孔を介して胴体部を貫通したものであり、上記吊具の上記胴体部を貫通した部位に当接して収容位置と吊下げ位置で夫々吊具を弾性保持する弾性体を上記胴体部の内部に備えたものであることを特徴とする請求項４〜６のいずれか一項に記載の電動工具。
【発明の詳細な説明】
【技術分野】
【０００１】
本発明は、電動工具、殊に、電動工具の可搬時の保持手段に関するものである。
【背景技術】
【０００２】
従来から、電動ドリルやインパクトドライバー等の可搬式の携帯用電動工具において、特許文献１や特許文献２等のように、フック等の係止部材を使用者の腰ベルトに係止し電動工具を保持して、作業先への移動や回転駆動を出力する対象部材の載置等の作業準備が行われている。
【０００３】
例えば、特許文献１は、把持部の上方部に駆動部（胴体部）を設け、下方台部に蓄電室部（バッテリ）を設けた電動工具であり、下方台部の側壁に腰ベルト用のフックの脚部が取り付けられている。そして、フックを腰ベルトと腰の間に差し込み、フックと下方台部の間に腰ベルトを挟むことで、把持部の軸を鉛直方向に沿うと共に駆動部の先端を使用者の背中側に向けた使用時と上下逆様の姿勢で電動工具を腰ベルトに保持させるものである。
【０００４】
また、特許文献２は、モータを収容した胴体部と、胴体部から垂下するハンドル部（把持部）と、を備えた電動工具であり、垂下したハンドル部の下端部の側面に着脱自在でフック状の係止部材が取り付けられている。そして、上記係止部材を腰ベルトと腰の間の差し込み、腰ベルトと腰で係止部材を挟持させて、電動工具を腰ベルトに保持させるものである。特に、係止部材は上記下端部の側面に回転自在であるため、腰ベルト保持時に電動工具の姿勢を変更できて、把持部をベルトに沿って横向きにして、把持する手の手首を捻る必要の無い姿勢に電動工具を保持することができる。
【先行技術文献】
【特許文献】
【０００５】
【特許文献１】特開２００４−２５５５０３号公報
【特許文献２】特開２００５−３１３３２２号公報
【発明の概要】
【発明が解決しようとする課題】
【０００６】
しかし、特許文献１のように上下逆様の姿勢でベルトに保持されているものでは、腰ベルトからの着脱時に、把持部を把持する手の手首を大きく捻る必要があるため、着脱時の手首の負担が大きく、使い勝手が悪いものである。そして、特許文献２のように保持した際の電動工具の姿勢を変更できるものでは、手首の負担を小さくしているが、肥満体型の使用者では腹部の脂肪により把持部とベルトの間に隙間が生じず、把持する手の親指を上記間に差し込めないことがある。更に、係止部材及びベルトの上方が腹部に隠れて、係止部材の腰ベルトからの着脱が困難になることもある。ましてや、無理に手を入れたり、腰ベルトから離脱させたりすると係止部材が電動工具から外れたり係止部材が変形したりしてしまい、故障や破損の原因となっている。
【０００７】
つまり、従来の電動工具では、腰ベルトに直接係止部材を差し込み取り付けるため、使用者の体型によっては腹部が邪魔になり、電動工具の着脱が困難になるという問題がある。そして、保持状態では電動工具の姿勢が腰ベルトに略固定されているため、使用者の脚に接触して腰ベルトから外れて電動工具が落下することがあり、腰ベルトに保持した状態での作業準備時に使用者の行動を制限してしまうことがある。
【０００８】
また、把持部の下方に係止部材を配置したため、腰ベルトに係止する際に、把持部を把持した手や腕に係止部材が隠れて係止部材の先端部位の位置が判らなくなり、係止部材を腰ベルトに取り付け難いという問題もある。
【０００９】
そこで、本発明は上記問題に鑑みて発明したものであり、把持する手の着脱時の負担を軽減すると共に、作業準備時の使用者の行動制限を無くして、使い勝手を向上した電動工具を提供することを課題とした。
【課題を解決するための手段】
【００１０】
上記課題を解決するために、本発明の電動工具は以下の構成を特徴としている。請求項１に係る発明は、一端から回転駆動を出力する胴体部２と、上記胴体部２に交差して延設された把持部３と、を備えると共に、上記胴体部２の他端に上記胴体部２を吊り下げる吊具１４を有している。そして、上記吊具１４を支点に上記胴体部２を吊り下げると、重量バランスにより上記把持部３の延設方向Ｈが鉛直方向Ｇに対して横向きまたは上記把持部３の上記胴体部２との接続部位を上にして斜め横向きに位置するものである。
【００１１】
このような構成としたことで、非使用時に電動工具を吊具１４で吊り下げて保持することができると共に、吊具１４により吊下げた電動工具の把持部３を手首を略捻らずに把持することができる。
【００１２】
また、請求項２に係る発明は、前記吊具１４が前記把持部３の延設方向Ｈ及び前記胴体部２の吊下げ時の鉛直方向Ｇの両方に直交した開口を有するものであることを特徴としている。
【００１３】
また、請求項３に係る発明は、前記吊具１４が剛体で形成されたものであることを特徴としている。
【００１４】
また、請求項４に係る発明は、前記胴体部２が前記吊具１４を収容する収容部を備えており、上記吊具１４が、上記収容部に収容される収容位置と、上記胴体部２を吊り下げる吊下げ位置と、に位置を変更するものであることを特徴としている。
【００１５】
また、請求項５に係る発明は、前記吊具１４が剛体で形成されると共に、収容部に収容される収容位置と、前記胴体部２を吊り下げる吊下げ位置と、に位置を変更するものであり、上記胴体部２が上記収容部と、上記吊下げ位置で上記吊具１４の切換動作を規制する動作規制部と、を備えたものであることを特徴としている。
【００１６】
また、請求項６に係る発明は、前記収容部が前記吊具１４の一部を前記胴体部２から突出させた状態で収容するものであり、上記吊具１４の突出した部位が上記収容部から上記吊具１４を取り出すための指掛け部２０であることを特徴としている。
【００１７】
また、請求項７に係る発明は、前記胴体部２が内外を貫く貫通孔を二つ有しており、前記吊具１４が連続したループ形状で且つ該ループの一部が上記二つの貫通孔を介して胴体部２を貫通したものであることを特徴としている。
【００１８】
また、請求項８に係る発明は、前記胴体部２が内外を貫く貫通孔を二つ有しており、前記吊具１４が連続したループ形状で且つ該ループの一部が上記二つの貫通孔を介して胴体部２を貫通したものであり、上記吊具１４の上記胴体部２を貫通した部位に当接して収容位置と吊下げ位置で夫々吊具１４を弾性保持する弾性体を上記胴体部２の内部に備えたものであることを特徴としている。
【発明の効果】
【００１９】
上記のように、本発明の電動工具は、重量バランスにより把持部の延設方向が横向きあるいは斜め横向きに位置する姿勢になるため、フックや突起等の掛け具に取り付ける際に工具の姿勢を気にせずに吊下げることができる。そのため、吊下げる際に把持部を把持した手の手首を捻ることなく、容易に掛け具に取り付けることができる。そして、吊下げた本電動工具は把持部が略横向きや斜め横向きに位置しているため、手首を略捻ること無く把持部を把持して掛け具から取り外すことができる。このように、吊具で吊下げ時の使用者の負担を軽減して、吊下げ時の着脱を容易に行える使い勝手の向上した電動工具となっている。
【００２０】
また、吊具が把持部の延設方向及び吊下げ時の鉛直方向の両方に直交した開口を有したことで、上記開口に掛け具を通して吊具を引っ掛けることで、掛け具を備えた使用者の身体の側面や構造体の壁面に沿って本電動工具を吊り下げることができる。そのため、吊具を有した胴体部に交差する把持部が身体の側面や壁面からの突出量を抑えられて、作業準備の際に吊下げた本電動工具が邪魔になることを抑制できる。
【００２１】
また、吊具を剛体で形成することで、吊具が容易に形状変形しないため、吊下げ時に吊具の形状を使用者が手で維持しなくても掛け具に掛けられて、電動工具を容易に吊具で吊り下げることができる。
【００２２】
また、吊具を胴体部に収容可能としたことで、吊下げ時以外では収容部に収容できて、吊具が電動工具の使用時に邪魔にならずにすみ、電動工具の使い勝手をより向上することができる。
【００２３】
また、収容部に収容可能で且つ剛体で形成された吊具を、吊り下げ位置で動作規制部により切換動作を規制したことで、吊下げ時に吊具が吊下げ位置から動くことを防止できると共に、掛け具へ引っ掛ける際に使用者による吊具の形状維持が不要であるため、電動工具を容易に吊具で吊り下げることができる。
【００２４】
また、収容部に収容した吊具を取り出す際に指を引っ掛けられる指掛け部を設けたことで、容易に収容部から吊具を取り出せて、吊具の吊下げ位置への切換動作が容易に行えて、使い勝手をより向上することができる。
【００２５】
また、吊具が一部に軸部を有したループ形状としたことで、軸部が胴体部から抜けることがないため、吊具が吊下げ時の電動工具の自重や取落し持の衝撃等で導体部から外れることを防止できて、安全性を向上することができる。そして、前記切換動作部を有したものでは、胴体部に内蔵した弾性体により収容位置と吊下げ位置で夫々吊具を弾性保持したことで、容易に吊具を上記位置に位置決め及び保持できて、使い勝手をより向上することができる。
【図面の簡単な説明】
【００２６】
【図１】本発明の電動工具の（ａ）吊具収容状態の左側面図、（ｂ）吊具突出状態の左側面図、（ｃ）吊具突出状態の右側面図である。
【図２】同上の収容状態の吊具周辺の（ａ）正面図、（ｂ）左側面図、（ｃ）右ハウジングを省略した右側面図である。
【図３】同上の突出状態の吊具周辺の（ａ）正面図、（ｂ）左側面図、（ｃ）右ハウジングを省略した右側面図である。
【図４】同上の吊具の回動動作説明図であり、（ａ）収容位置であり、（ｂ）突出位置であり、（ｃ）位置切換途中である。
【図５】同上の吊具による吊り下げ姿勢の説明図であり、（ａ）工具姿勢横向き時の右側面図であり、（ｂ）工具姿勢横向き時の背面図であり、（ｃ）工具姿勢斜め横向き時の右側面図である。
【発明を実施するための形態】
【００２７】
以下、図面に基づいて本発明の実施形態について説明する。
【００２８】
本発明の電動工具は、図１に示すように、一端から回転駆動を出力する筒形状の胴体部２と、筒の中心軸に交差する向きで胴体部２から延設された把持部３と、把持部３の延設方向Ｈの先端に着脱自在で装着されたバッテリ４と、からなるものである。そして、胴体部２と把持部３の外装を形成するハウジング１は把持部３の延設方向Ｈに胴体部２の中心軸を通って二つに分割されている。
【００２９】
なお、以下の説明において、胴体部２と把持部３の外装の左半身を有した一方のハウジング１を左ハウジング１ａとし、右半身を有した他方のハウジング１を右ハウジング１ｂとして、二つのハウジング１を区別する。そして、上記胴体部２の中心軸に沿った方向を軸方向Ｆとし、上記中心軸に略一致する直線を軸線Ｅとする。
【００３０】
また、上記胴体部２は内部に、モータ等の駆動源６と、駆動源６の回転駆動を変速する変速部（特に図示しない）と、を備えている。そして、胴体部２の軸方向Ｆの一端には上記変速部で変速された回転駆動を出力する出力部７が設けられており、本電動工具は上記出力部７のチャックに先端工具を取り付けてねじやナット等の固定具の締付や穴開口等を行うものである。
【００３１】
更に、上記胴体部２の他端は、図２〜図４に示すように、同心で異なる直径の二つの半円を合わせた略円形状の端面８となっており、大径側が胴体部２の直径と略同じで右ハウジング１ｂにより形成されており、小径側が胴体部２の直径より小さく且つ左ハウジング１ａにより形成されている。そのため、他端は筒の半周に亘って内周側に凹んだ円弧形状の凹所１０を有したものとなっており、凹所１０内に本電動工具を吊り下げる際に支点となる吊具１４が回動自在で設けられている。
【００３２】
詳しくは、左ハウジング１ａが胴体部２の他端を形成する部位に他より外径が小さい小径部９を有しており、上記小径部９と他の胴体部２との外径差による段差が凹所１０である。そのため、小径部９と上記他の胴体部２を繋ぐ間の平面が凹所１０の扇状の底部１１であり、小径部９の外周面が凹所１０の湾曲した内壁であり、上記内壁の円弧の両端には夫々端部の外方に開口した切り欠きを有している。
【００３３】
そして、上記両端は上記左ハウジング１ａの合わせ目に位置しており、凹所１０の円弧の両端に位置し延設方向Ｈに沿って面を有する端壁１２は右ハウジング１ｂに設けられている。更に、二つのハウジング１を合わせることで、上記切り欠きの開口が上記端壁１２で封止されるため、上記切り欠きは胴体部２の内外を貫通し軸線Ｅに直交し且つ延設方向Ｈに沿った直線上で連通した軸孔となっており、上記軸孔には吊具１４の回動時の軸芯である軸部１７が挿通されている。
【００３４】
上記軸部１７は、直交する側面を有し断面略正方形状の角柱部１９と、角柱部１９の両端に位置しハウジング１の軸孔に周面が滑り接触する円柱部１８と、からなる棒状のものである。そして、角柱部１９は側面の一つを胴体部２の内周に配置された板ばね１３等の弾性体の板面に当接して、上記板ばね１３により胴体部２の一端側へ付勢されており、軸部１７の回転が規制されている。
【００３５】
詳しくは、上記板ばね１３が軸方向Ｆ及び軸部１７の軸芯の両方に直交する向きに長い板面を有すると共に、上記板面の長手方向の一端が胴体部２の内部で左ハウジング１ａの内面に固定されており、上記板ばね１３の板面には角柱部１９の一つの側面が当接している。そして、板ばね１３の付勢に抗して軸部１７を回転させると、角柱部１９は上記側面に直交して接続された他の側面を板ばね１３の板面に当接させて回転を停止するものとなっている。
【００３６】
つまり、軸部１７が約９０度回転する毎に角柱部１９の側面が板ばね１３に当接するため、上記軸部１７が約９０度回転して上記板ばね１３に弾性保持される各位置でクリック感が得られるものとなっている。そのため、吊具１４は回動時に９０度毎に板ばね１３により位置決めされると共に、板ばね１３の板面に角柱部１９の側面が当接した上記位置では板ばね１３の付勢により回動が規制されるものとなっている。
【００３７】
また、上記軸部１７の両端は湾曲部１５を介して軸部１７と軸線Ｅの交点を中心とした円弧形状の弧部１６に繋がっており、吊具１４は弧部１６の内周の空間Ｓを吊下げ用の貫通孔としたＤ字型のリングとなっている。つまり、吊具１４は上記湾曲部１５により弧部１６や軸部１７の端部で途切れることなく連続した一体のループ形状となっており、弧部１６が軸部１７を介して胴体部２に保持されると共に、胴体部２から軸部１７が抜けて吊具１４が外れることが無いものとなっている。
【００３８】
上記弧部１６は軸部１７を軸芯として略９０度回動させることにより、凹所１０内に収容される収容位置と、弧部１６の扇状の側面の一部が凹所１０の端壁１２に当接する突出位置と、を切り換えることができるものとなっている。そして、上記突出位置は弧部１６の円弧の略中央が軸線Ｅに重なる位置であり、吊具１４は上記弧部１６の中央が胴体部２の他端から軸方向Ｆに最も突出すると共に、吊下げ用の貫通孔が軸方向Ｆ及び延設方向Ｈの両方に直交するものとなっている。
【００３９】
つまり、上記突出位置で軸部１７と弧部１６の円周が軸方向Ｆに重なる位置であるため、該位置で弧部１６に軸方向Ｆや延設方向Ｈに力を加えても軸部１７を軸芯とした回動が行われることがなく、上記突出位置が吊具１４により本電動工具を吊り下げることができる吊下げ位置である。
【００４０】
上記吊下げ位置では、図５に示すように、使用者３０の腰ベルト３１や構造体の壁面に設けたカラビナやフックや突起等の掛け具３２をＤ字の内周の空間Ｓに挿通して弧部１６の内周面に当接することで、吊具１４が掛け具３２に引っ掛かり、掛け具３２に本電動工具を吊り下げることができる。そして、吊下げた電動工具は、掛け具３２と吊具１４の接点が支点となり、胴体部２とバッテリ４の重量バランスにより、把持部３の延設方向Ｈが鉛直方向Ｇに対して略直交する横向きになるあるいは胴体部２の把持部３の延設部位を鉛直方向Ｇの上方側に位置して斜め横向きになるものである。
【００４１】
なお、上記把持部３の延設方向Ｈが鉛直方向Ｇに横向きや斜め横向きとなるとは、工具自重及び胴体部２とバッテリ４の重量バランスにより、バッテリ４が掛け具３２や把持部３より上方に位置することなく、且つ軸線Ｅが鉛直方向Ｇに直交しない姿勢を本電動工具がとることである。
【００４２】
つまり、把持部３の向きや傾きに関わらず掛け具３２に吊具１４の貫通孔を通して、弧部１６の内周面を上記掛け具３２に引っ掛ければ、重量バランスにより把持部３の延設方向Ｈが横向きあるいは斜め横向きに位置する姿勢に修正されて、吊り下がるものである。そのため、手首を捻らずに本電動工具を掛け具３２に取り付けられると共に、手首を略捻ること無く把持部３を把持して掛け具３２から取り外すことができて、吊下げ時の着脱を容易に行えて使い勝手が向上したものとなっている。
【００４３】
特に、上記掛け具３２は一般的に腰ベルト３１や壁面に直交する向きに突出しているため、本電動工具に対して軸方向Ｆ及び延設方向Ｈの両方に直交する向きで吊具１４の内周の空間Ｓに挿通されて、吊具１４が掛け具３２に引っ掛かるものとなっている。このとき、上記挿通方向に内周の空間Ｓが開口しているため、吊具１４が掛け具３２に対して捩れずに引っ掛り、把持部３の延設方向Ｈや胴体部２の軸線Ｅが身体の側面や壁面に沿うものである。
【００４４】
つまり、吊具１４を有した胴体部２に交差した把持部３の延設方向Ｈが身体の側面や壁面に平行した状態であり、本電動工具が身体の側面や壁面から直交して突出する量を抑えられると共に、出力部７が使用者３０の脚に接触し難くいものである。そのため、吊下げた本電動工具が作業現場への移動やねじ等の締付具の配置等の作業準備の際に邪魔にならず、作業準備時の使用者３０の行動に制限が生じることを抑制している。
【００４５】
また、吊具１４が円弧形状の弧部１６を有すると共に、掛け具３２に点で引っ掛っているため、吊下げ時に吊具１４を支点として把持部３を回動させることができる。詳しくは、吊具１４の弧部１６を支点として本電動工具の姿勢を変えずに、把持部３を吊具１４と掛け具３２の接点を通る鉛直方向Ｇに沿った垂線を軸芯とした回動と、上記接点を通り垂線に直交する水平線を軸芯とした回動と、を行うことができるものである。そして、上記回動及び上記二つの回動の組合せにより、把持部３のバッテリ４側が掛け具３２を備えた使用者３０の身体や構造体の壁面から離れて、上記身体や壁面と把持部３の間に隙間を形成することができる。
【００４６】
つまり、吊下げた本電動工具を把持する際に、把持部３が上記身体や壁面に密着していても親指を差し込む隙間が無くても、親指を無理に差し込むあるいは把持できる残りの指を引っ掛けることで把持部３を回動させることができるものである。そして、上記把持部３の回動により身体や壁面と把持部３の間に隙間が形成されるため、使用者３０の手で把持部３を確実に把持でき、取落しによる破損や故障等を防止できて、安全性及び使い勝手が向上している。
【００４７】
また、板ばね１３により吊具１４の回動が規制されているため、吊具１４を掛け具３２に引っ掛ける際に、掛け具３２や使用者３０の腰ベルト３１等に接触しても吊具１４が吊下げ位置から収容位置側へ回動せずにすみ、吊具１４の位置を手で保持することなく吊下げを容易に行えて、使い勝手が向上している。更に、吊具１４がループしたリング形状で且つ点で掛け具３２に引っ掛かっているため、吊り下げた状態を維持して本電動工具の姿勢を変更する自由度を有しており、作業準備時の動作制限を緩和すると共に、把持部３の把持をより容易に行うことができる。
【００４８】
また、上記吊具１４は樹脂製のハウジング１より硬い金属材料や複合材料等の剛体で形成されており、本電動工具の重量等の吊下げ時にかかる荷重や、本電動工具の取落しによる落下衝撃等で容易に変形しないものとなっている。そのため、吊下げ位置で工具に対する吊具１４の姿勢が一定に保たれており、掛け具３２との着脱時に吊具１４の姿勢を把持して支える必要のない着脱操作が容易なものとなっている。つまり、吊具１４の抜け防止手段を備えたカラビナ等の掛け具３２から取外す際に、一方の手を上記抜け防止手段の解除に用いても、他方の手で把持部３を把持して本電動工具の重量を支えることができて、着脱時の取落しによる破損や変形等を防止している。
【００４９】
そして、本電動工具でねじ締め等の作業を行う際には吊具１４を収容位置に収容できるため、上記作業時に吊具１４が邪魔にならずにすみ、吊具１４の増設によって作業時の使い勝手が低下することを防止している。更に、収容位置では弧部１６の一部の外径が胴体部２の外径より大きくなっており、上記外径差Ｌの分だけ外周側に凹所１０から突出して指掛け部２０となっており、上記指掛け部２０に指先を引っ掛けることで容易に収容位置から吊具１４を取り出せるものとなっている。
【００５０】
特に、日本人は右利きが多く工具使用時に把持部３が右手で把持されることが多いため、本例では、使用時に凹所１０が胴体部２の左側に位置するように形成されている。そのため、上記指掛け部２０が使用者３０側である左側に突出しており、作業現場の壁面等に接触し難く、且つ把持部３を把持していない空いている左手で吊具１４を吊下げ位置に容易に操作可能となっている。なお、吊具１４の形状は内周の空間Ｓが軸方向Ｆ及び延設方向Ｈに直交して開口して、掛け具３２に吊下げた際に掛け具３２を備えた使用者３０の身体の側面や構造体の壁面に沿って本電動工具を吊下げ可能なものであれば、ロ字型等の矩形状や楕円形状であってもよい。
【符号の説明】
【００５１】
１  ハウジング
２  胴体部
３  把持部
４  バッテリ
６  駆動源
７  出力部
１３  板ばね
１４  吊具
３０  使用者
３１  腰ベルト
３２  掛け具
【図１】
2011067909.tif 000003
【図２】
2011067909.tif 000004
【図３】
2011067909.tif 000005
【図４】
2011067909.tif 000006
【図５】
2011067909.tif 000007